(57)【特許請求の範囲】
【請求項１】
表示パネルと、
表示画面内を分割する複数のブロックを有し、前記ブロックごとに輝度を制御されて前記表示パネルを照明する光源と、
画像データと共に、前記画像データに係る画像を表示する際の前記光源の制御データである光源制御データを記憶するＲＯＭで構成される記憶部と、
を備え、
前記記憶部に記憶された画像データ及び光源制御データを、前記表示パネル用の画像を横方向に圧縮した前記画像データと、前記光源制御データを画面横方向に並べられたフォーマットで一つの出力チャンネルから出力する出力部を備えることを特徴とする表示装置。
【請求項２】
前記出力部から出力された画像データをスケールアップする第１スケーラ部と、前記出力部から出力された光源制御データをスケールダウンする第２スケーラ部と、を備えることを特徴とする請求項１に記載の表示装置。
【請求項３】
表示パネルと、
表示画面内を分割する複数のブロックを有し、前記ブロックごとに輝度を制御されて前記表示パネルを照明する光源と、
画像データと共に、前記画像データに係る画像を表示する際の前記光源の制御データである光源制御データを含んだ放送コンテンツを受信する受信部と、
を備えることを特徴とする表示装置。
【請求項４】
アミューズメント装置又はデジタルサイネージに搭載可能な請求項１〜請求項３のいずれか１項に記載の表示装置。
【発明の詳細な説明】
【技術分野】
【０００１】
本発明は、表示装置に関する。
【背景技術】
【０００２】
従来、いわゆるローカルディミングを行う表示装置が開発されている。ローカルディミングとは、画面内を分割するブロックごとにバックライトの輝度を制御する制御方式のことである。これにより、画面内で低い階調を表示するブロックでは、バックライトの輝度が低くなり、黒を表示したい場合は、完全な黒として表示することが可能となる。また、画面内で高い階調を表示するブロックでは、バックライトの輝度が高いため、十分に明るい表示を行うことができる。従って、コントラストを向上させて、高画質の画像を表示することが可能となる。さらに、バックライトの輝度を局所的に低下させることができるので、低消費電力化を図ることもできる。例えば特許文献１には、２次元的に配列された各発光ユニットを独立に発光させることでローカルディミングを行えるバックライトが開示されている。
【０００３】
ここで、ローカルディミングを行う液晶表示装置の従来例の構成を図５に示す。図５に示す従来の液晶表示装置３００は、画像ボード１００と、液晶表示ユニット２００から構成される。画像ボード１００は、ＣＰＵ（Central Processing Unit）１０１と、ＶＤＰ（Video Display Processor）１０２と、ＲＯＭ（Read Only Memory）１０３を有している。液晶表示ユニット２００は、駆動回路２０１と、液晶パネル２０２と、画像分析・ローカルディミングデータ作成回路２０３と、制御回路２０４と、ＬＥＤ（Light Emitting Diode）バックライトユニット２０５を有している。
【０００４】
ＶＤＰ１０２は、ＣＰＵ１０１の制御により、ＲＯＭ１０３に予め記憶された画像データ１０３Ａを読み出し、出力チャンネル１０２Ａから駆動回路２０１及び画像分析・ローカルディミングデータ作成回路２０３へ向けて読み出した画像データを出力する。ＲＯＭ１０３は、画像ボード１００に対して着脱可能となっており、表示させるコンテンツを変更することが容易である。画像分析・ローカルディミングデータ作成回路２０３は、入力された画像データの輝度レベルあるいは階調等を分析し、画面内のブロックごとの輝度情報から成るローカルディミングデータを作成し、作成したローカルディミングデータを制御回路２０４へ出力する。制御回路２０４は、入力されたローカルディミングデータに基づいてＬＥＤバックライトユニット２０５における各ブロックの各ＬＥＤの輝度を制御する。
【０００５】
また、画像分析・ローカルディミングデータ作成回路２０３は、ローカルディミングデータを作成すると共に、補正信号を生成して駆動回路２０１へ出力する。この補正信号は、ローカルディミングを考慮して画像データを補正するための信号である。駆動回路２０１は、入力された画像データ及び補正信号に基づいて液晶パネル２０２を駆動する。これにより、ローカルディミングによる画像表示を行うことができる。
【先行技術文献】
【特許文献】
【０００６】
【特許文献１】特開２０１１−１５１００５号公報
【発明の概要】
【発明が解決しようとする課題】
【０００７】
しかし、上記従来の液晶表示装置では、液晶表示ユニット側に専用の画像分析・ローカルディミングデータ作成回路が必要であった。また、この回路による分析精度が悪い場合、適切なローカルディミングを行うことができない。
【０００８】
また、特にアミューズメント用途の表示装置としては、意図的に明るくしたり暗くしたりする画像演出効果を狙いたい場合があるが、上記画像分析・ローカルディミングデータ作成回路によりローカルディミングデータを作成する方法では、そのような効果を狙うことが不十分な場合があった。
【０００９】
上記問題点に鑑み、本発明は、表示部側に専用の画像分析・光源制御データ作成回路が不要となり、効果的な光源制御を行うことが可能となる表示装置を提供することを目的とする。
【課題を解決するための手段】
【００１０】
本発明の一態様に係る表示装置は、
表示パネルと、
前記表示パネルを照明する光源と、
画像データと共に、前記画像データに係る画像を表示する際の前記光源の制御データである光源制御データを記憶する記憶部と、
を備えることを特徴とする。
【００１１】
また、本発明の他の態様に係る表示装置は、
表示パネルと、
前記表示パネルを照明する光源と、
画像データと共に、前記画像データに係る画像を表示する際の前記光源の制御データである光源制御データを外部より入力される入力部と、
を備えることを特徴とする。
【００１２】
なお、上記入力部とは、例えば、放送コンテンツを受信する受信部や光ディスク再生装置が接続されるインタフェースである。
【発明の効果】
【００１３】
本発明によれば、表示部側に専用の画像分析・光源制御データ作成回路が不要となり、効果的な光源制御を行うことが可能となる。
【図面の簡単な説明】
【００１４】
【図１】本発明の第１実施形態に係る液晶表示装置の構成図である。
【図２】本発明の第２実施形態に係る液晶表示装置の構成図である。
【図３】本発明の第３実施形態に係る液晶表示装置の構成図である。
【図４Ａ】表示画像とローカルディミングのブロックとの関係の一例を示す図である。
【図４Ｂ】図４Ａの一部のブロックを抜き出した図である。
【図５】液晶表示装置の従来例を示す構成図である。
【発明を実施するための形態】
【００１５】
以下、本発明の一実施形態について図面も参照して説明する。上述した従来技術ではローカルディミングデータは液晶表示ユニット側で作成するので液晶表示ユニット側に出力する必要が無かったが、本発明ではＶＤＰ（Video Display Processor）を搭載した画像ボードから液晶表示ユニット側にローカルディミングデータを出力する必要がある。そのため、ＶＤＰの出力形態（２系統の出力チャンネルを有するもの、１系統の出力チャンネルを有するもの）で分けて第１実施形態〜第３実施形態（図１〜図３）を説明する。
【００１６】
（第１実施形態）
本発明の第１実施形態に係る液晶表示装置の構成を図１に示す。図１に示す液晶表示装置３０は、画像ボード１０と、液晶表示ユニット２０とから構成される。
【００１７】
画像ボード１０は、ＣＰＵ（Central Processing Unit）１１と、ＶＤＰ（Video Display Processor）１２と、ＲＯＭ（Read Only Memory）１３を有している。液晶表示ユニット２０は、駆動回路２１と、液晶パネル２２と、制御回路２３と、ＬＥＤ（Light Emitting Diode）バックライトユニット２４を有している。
【００１８】
ＣＰＵ１１は、ＶＤＰ１２を制御する演算装置である。ＶＤＰ１２は、画像出力用の第１出力チャンネル１２Ａと、ローカルディミングデータ出力用の第２出力チャンネル１２Ｂとの２系統の出力チャンネルを有した画像出力用のプロセッサである。
【００１９】
液晶表示装置３０は、アミューズメント装置（パチスロ機など）及びデジタルサイネージなどに搭載可能である。デジタルサイネージとは、屋外や公共施設に配置されて広告コンテンツやメッセージ等を表示するものである。そこで、ＲＯＭ１３には、アミューズメント用途及びサイネージ用途などで表示すべきコンテンツとして画像データ１３Ａが予め記憶される。画像データ１３Ａは、例えばＸＧＡ（１０２４×７６８）の解像度であり、１画素あたり例えばＲＧＢ各８ビットのデータから成る。ＲＯＭ１３は、画像ボード１０に対して着脱可能となっており、表示させるコンテンツを変更することが容易である。
【００２０】
また画像データ１３Ａに加え、ＲＯＭ１３には、ローカルディミング用の制御データであるローカルディミングデータ１３Ｂが予め記憶される。
【００２１】
ここで、ＬＥＤバックライトユニット２４は、液晶パネル２２を背後から照明するものであり、バックライト光源制御用に画面内を分割する複数のブロックを有する。１ブロックあたりに複数のＬＥＤが設けられ、ブロックごとに輝度を制御することが可能である。１ブロックに対応する画素数をｎ×ｎであるとすると、ローカルディミングデータ１３Ｂは、画像データ１３Ａの縦横の各画素数を１／ｎとした解像度を有する。例えば画像データ１３ＡがＸＧＡ（１０２４×７６８）の解像度を有し、ｎ＝６４とした場合は、ローカルディミングデータ１３Ｂは、１６×１２の解像度を有することになる。また、ローカルディミングデータ１３Ｂは、１画素あたり例えば８ビットの輝度データから成る。
【００２２】
ＶＤＰ１２は、ＣＰＵ１１の制御により、ＲＯＭ１３から画像データ１３Ａ及びローカルディミングデータ１３Ｂを読み出し、読み出した画像データ１３Ａを第１出力チャンネル１２Ａから駆動回路２１へ出力すると共に、読み出したローカルディミングデータ１３Ｂを第２出力チャンネル１２Ｂから制御回路２３へ出力する。
【００２３】
駆動回路２１は、第１出力チャンネル１２Ａから入力された画像データ１３Ａに基づいて液晶パネル２２の各画素に対応する液晶を駆動する。制御回路２３は、第２出力チャンネル１２Ｂから入力されたローカルディミングデータ１３Ｂに基づいてＬＥＤバックライトユニット２４のブロックごとに輝度を制御する。これにより、ローカルディミングによる画像が表示される。
【００２４】
例えば、図４Ａに示すように、或るローカルディミングのブロックに月Ｍがあり、他のブロックに家Ｈの窓Ｗ（中には明かりが灯っている）があり、その他のブロックは暗闇に包まれている場合は、月Ｍを最も目立たせるために月Ｍのブロック（２Ｂ、３Ｂ、２Ｃ及び３Ｃ）のＬＥＤ光量を一番高くし、家Ｈの窓Ｗのブロック（５Ｆ）のＬＥＤ光量を中間とし、暗闇部分のブロック（上記以外のブロック）のＬＥＤ光量を一番低くするように制御する。即ち、このような制御のためのローカルディミングデータ１３Ｂを予め準備する。
【００２５】
また、この制御を考慮して予め準備している画像データ１３Ａも補正したデータとする。例えば、月Ｍのブロック（２Ｂ、３Ｂ、２Ｃ及び３Ｃ）はＬＥＤ光量が高いので、月Ｍのブロック範囲内でも月Ｍが無い箇所（図４Ｂの斜線部）は黒レベルを他のブロック（例えば１Ａ、２Ａ、３Ａ、４Ａ、１Ｂ、４Ｂ、１Ｃ、４Ｃ、１Ｄ、２Ｄ、３Ｄ及び４Ｄ）より暗くし、月Ｍの無い箇所の輝度レベルを均一化する。
【００２６】
このように本実施形態では、画像データと共にローカルディミングデータをＲＯＭ１３に予め記憶させて、このローカルディミングデータに基づいてＬＥＤバックライトユニット２４の輝度制御を行うので、従来（図５）では液晶表示ユニット側に必要であった画像分析・ローカルディミングデータ作成回路が不要となる。
【００２７】
また、画像データに対応して作り込んだローカルディミングデータを予め準備することができるので、効果的なローカルディミングが可能となる。特に、意図的に作り込んだローカルディミングデータ（上記図４Ａを用いて説明したローカルディミングデータはその一例）を準備すれば、意図的な画像表示演出が可能となり、特にアミューズメント用途及びサイネージ用途には有効となる。つまり、通常は画像から判断して最適な輝度制御を行うローカルディミングデータを作成するが、意図的に明るくしたり暗くしたりして演出効果を狙うこともできる。
【００２８】
（第２実施形態）
本発明の第２実施形態に係る液晶表示装置の構成を図２に示す。図２に示す液晶表示装置６０は、画像ボード４０と、液晶表示ユニット５０とから構成される。本実施形態は、液晶パネルを２枚重ねる構造を有したマルチレイヤーディスプレイに係るものである。以下、特に第１実施形態との相違点について詳細に説明する。
【００２９】
画像ボード４０は、ＣＰＵ４１と、ＶＤＰ４２と、ＲＯＭ４３と、スケーラＩＣ４４と、スケーラＩＣ４５を有している。液晶表示ユニット５０は、駆動回路５１と、前側液晶パネル５２と、駆動回路５３と、後側液晶パネル５４と、制御回路５５と、ＬＥＤバックライトユニット５６を有している。
【００３０】
ＶＤＰ４２は、画像出力用の第１出力チャンネル４２Ａと、ローカルディミングデータ出力用の第２出力チャンネル４２Ｂとの２系統の出力チャンネルを有している。
【００３１】
ＲＯＭ４３には、画像データ４３Ａと共にローカルディミングデータ４３Ｂが予め記憶される。画像データ４３Ａは、前側液晶パネル５２用の画像を横方向に半分に圧縮した画像データ４３Ａ１と、後側液晶パネル５４用の画像を横方向に半分に圧縮した画像データ４３Ａ２を横方向に２つ並べて構成されており、いわゆるSide-by-Sideフォーマットで構成される。前側液晶パネル５２及び後側液晶パネル５４が各々例えばＸＧＡ（１０２４×７６８）の解像度を有する場合、画像データ４３Ａ１及び４３Ａ２は各々５１２×７６８の解像度を有することになる（即ち、画像データ４３Ａ全体では１０２４×７６８の解像度となる）。これにより、ＶＤＰ４２が画像出力用に１系統の出力チャンネル４２Ａしか有していなくても、２つの画像を表示可能となる。
【００３２】
ここで、液晶表示ユニット５０において、表示ユニットの後方からＬＥＤバックライトユニット５６、後側液晶パネル５４及び前側液晶パネル５２がこの順番に配される。ＬＥＤバックライトユニット５６は、前側液晶パネル５２及び後側液晶パネル５４を背後から照明するものであり、ローカルディミング用に画面内を分割する複数のブロックを有する。１ブロックあたりに複数のＬＥＤが設けられ、ブロックごとに輝度を制御することが可能である。１ブロックに対応する画素数をｎ×ｎであるとすると、ローカルディミングデータ４３Ｂは、画像データ４３Ａの縦横の各画素数を１／ｎとした解像度を有する。例えば画像データ４３ＡがＸＧＡ（１０２４×７６８）の解像度を有し、ｎ＝６４とした場合は、ローカルディミングデータ４３Ｂは、１６×１２の解像度を有することになる。
【００３３】
ＶＤＰ４２は、ＣＰＵ４１の制御により、ＲＯＭ４３から画像データ４３Ａ及びローカルディミングデータ４３Ｂを読み出し、読み出した画像データ４３Ａを第１出力チャンネル４２ＡからスケーラＩＣ４４及びスケーラＩＣ４５へ出力すると共に、読み出したローカルディミングデータ４３Ｂを第２出力チャンネル４２Ｂから制御回路５５へ出力する。
【００３４】
スケーラＩＣ４４は、第１出力チャンネル４２Ａから入力される画像データ４３Ａから画像データ４３Ａ１を抽出し、抽出された画像データを横方向に２倍スケールアップする。また、スケーラＩＣ４５は、第１出力チャンネル４２Ａから入力される画像データ４３Ａから画像データ４３Ａ２を抽出し、抽出された画像データを横方向に２倍スケールアップする。例えば、画像データ４３Ａ１及び４３Ａ２が各々５１２×７６８の解像度を有する場合は、横方向に２倍スケールアップすると１０２４×７６８の解像度となる。なお、同期ズレを抑えるため、スケーラＩＣ４４及び４５は、同じ仕様（或いは型番／品番）のＩＣを使用することが望ましい。
【００３５】
駆動回路５１は、スケーラＩＣ４４から入力されるスケールアップされた画像データに基づいて前側液晶パネル５２の各画素に対応する液晶を駆動する。また、駆動回路５３は、スケーラＩＣ４５から入力されるスケールアップされた画像データに基づいて後側液晶パネル５４の各画素に対応する液晶を駆動する。
【００３６】
制御回路５５は、第２出力チャンネル４２Ｂから入力されるローカルディミングデータに基づいてＬＥＤバックライトユニット５６のブロックごとに輝度を制御する。これにより、ローカルディミングを行いつつ、前側液晶パネル５２の画像と後側液晶パネル５４の画像が合成された画像が表示される。
【００３７】
マルチレイヤーディスプレイでは、液晶パネルを２枚重ねる構造を採るため、バックライトユニットの消費電力が標準の液晶ディスプレイに較べて５倍以上と大きくなる。ローカルディミングは、このようなマルチレイヤーディスプレイに特に効果的な低消費電力化の手法となる。しかし、マルチレイヤーディスプレイでは前側と後側の液晶パネルに各々の画像を表示するため、従来のような１つの入力画像に基づいたローカルディミングでは十分な省電力効果が期待できない。
【００３８】
これに対して本実施形態であれば、表示すべき２枚の画像に対応して作り込んだローカルディミングデータを予め準備できるので、低消費電力化に効果的なローカルディミングが可能となる。
【００３９】
また、マルチレイヤーディスプレイにおいて従来の画像分析・ローカルディミングデータ作成回路を用いてローカルディミングを行おうとすると、２枚の液晶パネルの両方の画像データを考慮した分析・データ作成が必要となるので構成が複雑となるが、本実施形態であれば、画像分析・ローカルディミングデータ作成回路は不要であるので、そのようなことを回避できる。
【００４０】
（第３実施形態）
本発明の第３実施形態に係る液晶表示装置の構成を図３に示す。図３に示す液晶表示装置９０は、画像ボード７０と、液晶表示ユニット８０とから構成される。以下、特に第１実施形態との相違点について詳細に説明する。
【００４１】
画像ボード７０は、ＣＰＵ７１と、ＶＤＰ７２と、ＲＯＭ７３と、スケーラＩＣ７４と、スケーラＩＣ７５を有している。液晶表示ユニット８０は、駆動回路８１と、液晶パネル８２と、制御回路８３と、ＬＥＤバックライトユニット８４を有している。
【００４２】
ＶＤＰ７２は、２系統の出力チャンネルを有する第１実施形態と異なり、１系統の出力チャンネル７２Ａのみ有している。そこで、ＲＯＭ７３には、画像データとローカルディミングデータが複合された画像・ディミング複合データ７３Ａが予め記憶され、この画像・ディミング複合データ７３Ａを出力チャンネル７２Ａから出力するようにしている。
【００４３】
画像・ディミング複合データ７３Ａは、液晶パネル８２用の画像を横方向に半分に圧縮した画像データ７３Ａ１と、画像データ７３Ａ１と同じ解像度であるローカルディミングデータ７３Ａ２を横方向に２つ並べて構成されており、いわゆるSide-by-Sideフォーマットで構成される。液晶パネル８２が例えばＸＧＡ（１０２４×７６８）の解像度を有する場合、画像データ７３Ａ１及びローカルディミングデータ７３Ａ２は各々５１２×７６８の解像度を有することになる（即ち、画像・ディミング複合データ７３Ａ全体では１０２４×７６８の解像度となる）。
【００４４】
ＶＤＰ７２は、ＣＰＵ７１の制御により、ＲＯＭ７３から画像・ディミング複合データ７３Ａを読み出し、読み出した画像・ディミング複合データ７３Ａを出力チャンネル７２ＡからスケーラＩＣ７４及びスケーラＩＣ７５へ出力する。
【００４５】
スケーラＩＣ７４は、出力チャンネル７２Ａから入力される画像・ディミング複合データ７３Ａから画像データ７３Ａ１を抽出し、抽出された画像データ７３Ａ１を横方向に２倍スケールアップする。例えば、画像データ７３Ａ１が５１２×７６８の解像度を有する場合は、横方向に２倍スケールアップすると１０２４×７６８の解像度となる。
【００４６】
また、スケーラＩＣ７５は、出力チャンネル７２Ａから入力される画像・ディミング複合データ７３Ａからローカルディミングデータ７３Ａ２を抽出し、抽出されたローカルディミングデータ７３Ａ２に対して縦を１／ｎ、横を２／ｎとしてスケールダウンする。なお、ＬＥＤバックライトユニット８４の１ブロックあたりの画素数をｎ×ｎとする。例えば、ローカルディミングデータ７３Ａ２が５１２×７６８の解像度を有し、ｎ＝６４の場合は、スケールダウンすると１６×１２の解像度となる。
【００４７】
なお、同期ズレを抑えるため、スケーラＩＣ７４及び７５は、同じ仕様（或いは型番／品番）のＩＣを使用することが望ましい。また、画像データ７３Ａ１は、横方向に半分に圧縮したものに限らず、例えば８０％に圧縮したものとしてもよい。
【００４８】
駆動回路８１は、スケーラＩＣ７４から入力されるスケールアップされた画像データに基づいて液晶パネル８２の各画素に対応する液晶を駆動する。制御回路８３は、スケーラＩＣ７５から入力されるスケールダウンされたローカルディミングデータに基づいてＬＥＤバックライトユニット８４のブロックごとに輝度を制御する。これにより、ローカルディミングされた画像が表示される。
【００４９】
本実施形態によれば、作り込んだ画像・ディミング複合データを予め準備できるので、ＶＤＰに１系統の出力チャンネルしかない場合でも、効果的なローカルディミングを行いつつ画像表示が可能となる。
【００５０】
以上、本発明の一実施形態について説明したが、本発明の趣旨の範囲内であれば、実施形態は種々変形が可能である。例えば、画像データと共にローカルディミングデータを記憶する記憶部としては、ＲＯＭ以外にも書き換え可能な記憶装置（ＨＤＤ（Hard Disk Drive）、ＳＳＤ（Solid State Drive）など）を用いてもよい。
【００５１】
また、画像データ及びローカルディミングデータをＲＯＭに記憶させておく以外にも、画像データ及びローカルディミングデータを含んだ放送コンテンツを受信部により受信して、受信された画像データ及びローカルディミングデータをＶＤＰから出力するようにしてもよい。画像データ及びローカルディミングデータを含んだ放送コンテンツは、放送局に設置される送信装置から送信される。例えば映像ストリーム、音声ストリーム、データ放送ストリームに加えてローカルディミングデータのストリームを多重化してＭＰＥＧ−ＴＳ（トランスポートストリーム）として送信すればよい。または、ＭＰＥＧ−ＴＳを構成する映像パケットのヘッダにローカルディミングデータを格納してもよいし、映像パケットにおいてローカルディミング用のペイロードを用意するようにしてもよい。
【００５２】
なお、上記のような放送による送信は、地上デジタル放送などの電波による放送に限らず、ケーブルテレビ放送、館内放送及びインターネット放送などの閉じている放送方式に適用してもよい。
【００５３】
また、画像データ及びローカルディミングデータをＤＶＤ等の光ディスクにコンテンツとして記録しておき、表示装置の例えばＵＳＢ端子などに接続された外部の光ディスク再生装置によって光ディスクを再生し、再生された画像データ及びローカルディミングデータを表示装置に入力してＶＤＰから出力するようにしてもよい。この場合、画像データ、音声データ及びローカルディミングデータは同一ファイルに格納してもよいし、ローカルディミングデータは画像データ及び音声データが格納されたファイルとは別のファイルに格納してもよい。
【００５４】
また、バックライト光源としてはＬＥＤに限ることなく、ＣＣＦＬ（冷陰極管）を採用してもよい。この場合、例えば画像全体の平均輝度に応じた輝度データから成る光源制御データをＶＤＰから出力すればよい。
【符号の説明】
【００５５】
１０  画像ボード
１１  ＣＰＵ
１２  ＶＤＰ
１２Ａ  第１出力チャンネル
１２Ｂ  第２出力チャンネル
１３  ＲＯＭ
１３Ａ  画像データ
１３Ｂ  ローカルディミングデータ
２０  液晶表示ユニット
２１  駆動回路
２２  液晶パネル
２３  制御回路
２４  ＬＥＤバックライトユニット
３０  液晶表示装置
４０  画像ボード
４１  ＣＰＵ
４２  ＶＤＰ
４２Ａ  第１出力チャンネル
４２Ｂ  第２出力チャンネル
４３  ＲＯＭ
４３Ａ  画像データ
４３Ｂ  ローカルディミングデータ
４４、４５  スケーラＩＣ
５０  液晶表示ユニット
５１  駆動回路
５２  前側液晶パネル
５３  駆動回路
５４  後側液晶パネル
５５  制御回路
５６  ＬＥＤバックライトユニット
６０  液晶表示装置
７０  画像ボード
７１  ＣＰＵ
７２  ＶＤＰ
７２Ａ  出力チャンネル
７３  ＲＯＭ
７３Ａ  画像・ディミング複合データ
７４、７５  スケーラＩＣ
８０  液晶表示ユニット
８１  駆動回路
８２  液晶パネル
８３  制御回路
８４  ＬＥＤバックライトユニット
９０  液晶表示装置
【図１】
0006050932.tif 000002
【図２】
0006050932.tif 000003
【図３】
0006050932.tif 000004
【図４Ａ】
0006050932.tif 000005
【図４Ｂ】
0006050932.tif 000006
【図５】
0006050932.tif 000007